(57)【要約】【課題】  光の抜けを抑えて導光効率の低下を抑制することが可能な導光体の提供を主な目的とするものである。【解決手段】  透光性材料からなり、光源３からの光が入る入光部１１と、入光部１１から入った光を外に射出する出光部１２と、入光部１１から入った光を出光部１２に反射する反射部１３ａとを備えた導光体１において、反射部１３ａに第１の傾斜面１５と第２の傾斜面１６の連続した少なくとも２つの傾斜面からなる複数の溝部１７を設け、第１の傾斜面１５が入光部１１から入った光を出光部１２に反射するように傾斜し、第２の傾斜面１６が入光部１１と出光部１２とに向くとともに第１の傾斜面１５よりも入光部１１側に傾斜したものである。【選択図】  図４
2006185684.tif 000002
【特許請求の範囲】
【請求項１】
透光性材料からなり、光源からの光が入る入光部と、前記入光部から入った光を外に射出する出光部と、前記入光部から入った光を前記出光部に反射する反射部とを備えた導光体において、前記反射部に第１の傾斜面と第２の傾斜面の連続した少なくとも２つの傾斜面からなる複数の溝部を設け、前記第１の傾斜面が前記入光部から入った光を前記出光部に反射するように傾斜し、前記第２の傾斜面が前記入光部と前記出光部とに向くとともに前記第１の傾斜面よりも前記入光部側に傾斜したことを特徴とする導光体。
【請求項２】
透光性材料からなり、光源からの光が入る入光部と、前記入光部から入った光を外に射出する出光部と、前記入光部から入った光を前記出光部に反射する反射部とを備えた導光体において、前記反射部に第１の傾斜面と第２の傾斜面の少なくとも２つの傾斜面からなる複数の溝部を設け、前記第１の傾斜面と第２の傾斜面とが前記入光部と前記出光部とに向くように傾斜し、前記第２の傾斜面と前記反射部との交点が前記第１の傾斜面の前記出光部側の端部より前記入光部側に位置することを特徴とする導光体。
【請求項３】
前記第１の傾斜面と前記第２の傾斜面の傾斜角度を同一としたことを特徴とする請求項２の導光体。
【発明の詳細な説明】
【技術分野】
【０００１】
本発明は、入光部から入った光を均一に出光する導光体に関し、特に、印刷表示パネルまたは液晶表示パネルのごとき透過型の表示パネルを照明する導光体に関する。
【背景技術】
【０００２】
この種の導光体として、例えば下記特許文献１記載のものが知られている。この導光体は、透光性材料からなり、一側面に線光源が配置され、表面から光を均一に出光するために、裏面に円筒状の凹部やＶ字状の凹部が複数形成されたものがある。
【特許文献１】特開２００２−１２２７４３号公報（図９、図１０参照）
【発明の開示】
【発明が解決しようとする課題】
【０００３】
このような導光体では、導光体内に入った光が、光を反射する凹部から導光体の外に抜けてしまい、その分導光体の導光効率が低下するという問題点があった。
【０００４】
そこで、本発明は前述の課題に対処するため、光の抜けを抑えて導光効率の低下を抑制することが可能な導光体の提供を主な目的とするものである。
【課題を解決するための手段】
【０００５】
本発明は、前記目的を達成するため、透光性材料からなり、光源からの光が入る入光部と、前記入光部から入った光を外に射出する出光部と、前記入光部から入った光を前記出光部に反射する反射部とを備えた導光体において、前記反射部に第１の傾斜面と第２の傾斜面の連続した少なくとも２つの傾斜面からなる複数の溝部を設け、前記第１の傾斜面が前記入光部から入った光を前記出光部に反射するように傾斜し、前記第２の傾斜面が前記入光部と前記出光部とに向くとともに前記第１の傾斜面よりも前記入光部側に傾斜したものである。
【０００６】
また、本発明は、透光性材料からなり、光源からの光が入光部と、前記入光部から入った光を外に射出する出光部と、前記入光部から入った光を前記出光部に反射する反射部とを備えた導光体において、前記反射部に第１の傾斜面と第２の傾斜面の少なくとも２つの傾斜面からなる複数の溝部を設け、前記第１の傾斜面と第２の傾斜面とが前記入光部と前記出光部とに向くように傾斜し、前記第２の傾斜面と前記反射部との交点が前記第１の傾斜面の前記出光部側の端部より前記入光部側に位置するものである。
【０００７】
また、本発明は、前記第１の傾斜面と前記第２の傾斜面の傾斜角度を同一としたものである。
【発明の効果】
【０００８】
本発明によれば、初期の目的を達成でき、光の抜けを抑えて導光効率の低下を抑制することが可能な導光体の提供を提供することができる。
【発明を実施するための最良の形態】
【０００９】
以下、図面に基づいて本発明による導光体を説明する。図１〜図４は、本発明の第１の実施形態を示すものである。
【００１０】
本発明の導光体１は、照明装置２に適用されている。この照明装置２は、導光体１の他に、導光体１に光を供給する光源３と、回路基板４と、導光体２の反射部材と放熱部材を兼用するカバー５と、導光体２の出光部側を覆う化粧カバー６とを備えており、導光体２の出光部側に図示しない液晶表示パネルが配置され、この液晶表示パネルを照明するものである。
【００１１】
光源３は、白色光を発する発光ダイオードからなり、図３で示すように、複数（７個）設けられている。光源３から出た光が、後述する導光体１の入光部から導光体１内に入るように、前記入光部に対向するように配置されている。
【００１２】
回路基板４は、光源３は発する熱を放熱するために、基板の材料に金属を採用している。なお、本実施例ではアルミニウム合金を採用している。この基板の表面には、図示していないが、絶縁層や光源３に電力を供給するための導電材料からなる配線パターンが形成されている。
【００１３】
カバー５は、導光体２の中から外に抜けた光を再び導光体２に反射するとともに、光源３で発生した熱を回路基板４を介して放熱するものであり、本実施例では、金属のアルミニウム合金で形成されている。このカバー５はＬの字状の板状体で、回路基板４と導光体１の背面の全面を覆うものである。
【００１４】
化粧カバー６は合成樹脂製で、導光体１の後述する出光部が露出する窓部６ａを備えている。化粧カバー６も板状体で、導光体１の前記出光部側と図１中の上と左右を覆うものである。
【００１５】
導光体１は、透光性材料、例えばアクリル樹脂を用いて平板状に形成され、導光体１の光源３を設けた側の端面には、全体が平面にて構成される入光部１１が形成されている。
【００１６】
また、導光体１は、入光部１１から入った光源３の光を外に射出する平面からなる出光部１２を備えている。この出光部１２は、広い面積を備えている。
【００１７】
また、液晶表示パネルに対向する出光部１２を表面とすると反対側の裏面１３には、入光部１１から入った光源３の光を出光部１２に反射する反射部１３ａが形成されている。
【００１８】
この反射部１３ａは、導光体１の裏面１３のほぼ全域に形成されている。この反射部１３ａは、図３で示すように、縦方向に細長い領域１４が複数形成されている。本実施例では、この領域１４は、１つの光源３に対して４つ設けられており、言い換えれば、２つの光源３の中心間に領域１４が４つ設けられている。本実施例では、光源３が７つ存在するので、領域１４が２８個設けられている。この領域１４には、複数の溝部１７が設けられている。この溝部１７は、領域１４内を横切るように入光部１１の端面と平行に形成されている。なお、図３中では、理解しやすいように、溝部１７の数を省略しているが、実際は、非常に多く形成してある。
【００１９】
また、溝部１７が設けられる密度は、ある一つの領域１４を例に挙げれば、光源３に近い部分は密度が低く、光源３から離れるに従って密度が高くなっている。さらに、隣り合った領域１４も、光源３からの距離によっても、領域１４毎に、溝部１７が設けられる密度が異なっている。
【００２０】
なお、本実施例では、１つの光源３に対して、４つの領域１４が対応しているので、多くても４つの密度が異なる溝部１７を形成した領域１４を形成しておけばよく、他の光源３に対しては、４つの密度が異なる溝部１７を形成した領域１４を複写して対応することが可能となる。なお、１つの光源３に対応する領域１４の数が増えれば、領域１４の幅が狭くなり、領域１４はさらに細長くなり、加工が面倒になるが、より均一な光を出光部１１から出すことが可能となる。
【００２１】
図４で示すように、溝部１７は、第１の傾斜面１５と第２の傾斜面１６の連続した２つの傾斜面からなり、その深さは、本実施形態では３０μｍとしてある。溝部１７を構成する第１の傾斜面１５は、入光部１１から入った光を出光部１２に反射するように、入光部１１と出光部１２との両方に向いて傾斜しており、第１の傾斜面１５は、第１の傾斜面１５と反射部１３ａ（の平面）との交点１５ａが第１の傾斜面１５と第２の傾斜面１６との交点１５ｂ（第１の傾斜面１５の出光部１２側の端部）より、入光部１１側に位置するように傾斜している。また、図４中のｒ１の角度、すなわち、反射部１３ａ（の平面）と第１の傾斜面１５との角度は、１３０°である。このように構成したことによって、光源３からの光Ｌ１は、第１の傾斜面１５によって、出光部１２側に反射される。
【００２２】
また、溝部１７を構成する第２の傾斜面１６も、第１の傾斜面１５と同方向に傾斜しており、入光部１１と出光部１２との両方に向いているがその向き（傾斜）は、第１の傾斜面１５よりもさらに入光部１１側に傾斜している。第２の傾斜面１６は、第２の傾斜面１６と反射部１３ａ（の平面）との交点１６ａが第１の傾斜面１５と第２の傾斜面１６との交点１５ｂより、入光部１１側に位置するように傾斜している。また、図４中のｒ２の角度、すなわち、反射部１３ａ（の平面）と第２の傾斜面１６との角度は、１２０°である。また、第２の傾斜面１６と反射部１３ａとの交点１６ａが第１の傾斜面１５の出光部１２側の端部である第１の傾斜面１５と第２の傾斜面１６との交点１５ｂより入光部１１側に位置している。そして、第１の傾斜面１５と第２の傾斜面１６との間に空間部Ｓが設けられている。なお、第１の反射部１５と第２の傾斜面１６とで形成される角度Ｒは、鋭角であり、本実施形態では、鋭角の角度は１０°である。このように構成したことによって、導光体１内を反射した光Ｌ２は、第１の傾斜面１５を透過して屈折するが、再び第２の傾斜面１６から導光体１内に入って屈折し、導光体１の反射部１３ａにて出光部１２方向に反射する。
【００２３】
以上の本実施形態によれば、溝部１７を形成する二つの傾斜面である傾斜面１５、１６の間隔が狭く、導光体１内に入った光が、この溝部１７から導光体１の外に抜けにくくなり、その分導光体１の導光効率の低下を抑制することが可能となる。
【００２４】
なお、溝部１７を形成する二つの傾斜面である傾斜面１５、１６の間隔が狭く、導光体１内に入った光が、この溝部１７から導光体１の外に抜けにくければ、傾斜面１５、１６を１つの平面で形成する必要はなく、複数の面で形成しても良い。
【００２５】
図５は、本発明の第２の実施形態を示すもので、第１の実施形態の溝部１７とは、溝部２１の形状が異なるものである。なお、前記実施形態と同一及び相当個所には同一符号を付してその詳細な説明は省略する。
【００２６】
本実施形態の溝部２１は、第１の傾斜面２２と第２の傾斜面２３と第１、第２の傾斜面２１、２２を結ぶ平面２４から構成されている。また、溝部２１の深さは、本実施形態では、３０μｍとしてあり、平面２４の長さは、１０μｍとしてある。
【００２７】
溝部２１を構成する第１の傾斜面２２は、入光部１１から入った光を出光部１２に反射するように、入光部１１と出光部１２との両方に向いて傾斜しており、第１の傾斜面２２は、第１の傾斜面２２と反射部１３ａとの交点２２ａが第１の傾斜面２２と平面２４との交点２２ｂより、入光部１１側に位置するように傾斜している。また、図５中のｒ３の角度、すなわち、反射部１３ａ（の平面）と第１の傾斜面２２との角度は、１３０°である。このように構成したことによって、光源３からの光Ｌ３は、第１の傾斜面２２によって、出光部１２側に反射される。
【００２８】
また、第２の傾斜面２３は、第２の傾斜面２３と反射部１３ａとの交点２３ａが第２の傾斜面２３と平面２４との交点２３ｂより、入光部１１側に位置し、第１の傾斜面２２と同一の角度で傾斜している。また、第２の傾斜面２３は、第２の傾斜面２３と反射部１３ａとの交点２３ａが第１の傾斜面２２の出光部１２側の端部である第１の傾斜面２２と平面２４との交点２２ｂより入光部１１側に位置し、第１の傾斜面２２が第２の傾斜面２３より、第３の面２４の長さ分、入光部１１側に位置している。
【００２９】
このように構成したことによって、第１の傾斜面２２を通過した光源３からの光Ｌ３は、第２の傾斜面２３によって、出光部１２側に反射される。また、導光体１内を反射した光Ｌ４は、第１の傾斜面２２を透過して屈折するが、再び第２の傾斜面２３から導光体１内に入って屈折し、導光体１の反射部１３ａにて出光部１２方向に反射する。
【００３０】
以上の本実施形態によれば、溝部２１を形成する二つの傾斜面である傾斜面２２、２３の間隔が狭く、導光体１内に入った光が、この溝部２１から導光体１の外に抜けにくくなり、その分導光体１の導光効率の低下を抑制することが可能となる。
【００３１】
なお、溝部２１を形成する二つの傾斜面である傾斜面２２、２３の間隔が狭く、導光体１内に入った光が、この溝部２１から導光体１の外に抜けにくければ、傾斜面２２、２３を１つの平面で形成する必要はなく、複数の面で形成しても良い。
【図面の簡単な説明】
【００３２】
【図１】本発明の第１の実施形態による照明装置の正面図。
【図２】図１のＡ−Ａ線の断面図。
【図３】同実施形態の導光体の背面図。
【図４】図２のＢ部分の導光体の要部拡大断面図。
【図５】本発明の第２の実施形態の導光体の要部拡大断面図。
【符号の説明】
【００３３】
１    導光体
２    照明装置
３    光源
１１    入光部
１２    出光部
１３ａ  反射部
１５    第１の傾斜面
１６    第２の傾斜面
１７    溝部
２１    溝部
２２    第１の傾斜面
２２ｂ  交点
２３    第２の傾斜面
２３ａ  交点
【図１】
2006185684.tif 000003
【図２】
2006185684.tif 000004
【図３】
2006185684.tif 000005
【図４】
2006185684.tif 000006
【図５】
2006185684.tif 000007